(57)【要約】      （修正有）【課題】穀粒タンクの内部のメンテナンス作業を容易に行えるようにしながら、穀粒タンクが貯留可能な状態のときに穀粒が漏れ出る等のおそれを少なくするコンバインを提供する。【解決手段】穀粒タンク７における側板３１が、タンク本体部３２に対して縦軸芯周りで回動することにより閉状態と開状態とに切り換え可能に設けられ、側板３１を閉状態に位置保持する位置保持機構ＩＨに、複数の係止部６３、６９と複数の被係止部４０，７０とが備えられ、複数の係止部４０，７０を一括して切り換え操作する操作具６４が備えられ、特定の係止部６３が、境界位置にあるとき、他の係止部６９は、境界位置あるいは係止解除状態に対応する位置にあり、特定の係止部６３が境界位置よりも係止状態側に位置している状態で側板３１を閉状態側に移動させると、他の係止部６９と被係止部７０とが接当する前に、特定の係止部６３が被係止部４０に接当する。【選択図】図７
2020000077.tif 000002
【特許請求の範囲】
【請求項１】
内部の貯留空間に穀粒を貯留する穀粒タンクが備えられ、
前記穀粒タンクにおける側板が、タンク本体部に対して縦軸芯周りで回動可能に支持され、
前記側板は、前記縦軸芯周りで回動することにより、前記タンク本体部の側部に形成された開口を閉塞して穀粒の貯留を可能にする閉状態と、前記開口を通して前記貯留空間を外部に開放する開状態とに切り換え可能に設けられ、
前記側板を前記閉状態に位置保持する位置保持機構が備えられ、
前記位置保持機構に、前記タンク本体部及び前記側板のうちの一方に設けられた複数の係止部と、前記複数の係止部に対応する状態で前記タンク本体部及び前記側板のうちの他方に設けられた複数の被係止部とが備えられ、
前記複数の係止部を一括して前記被係止部に対する係止状態と係止解除状態とに切り換え操作する操作具が備えられ、
前記複数の係止部のうちの特定の係止部が、前記係止状態と前記係止解除状態との間の境界位置にあるとき、前記特定の係止部以外の他の係止部は、前記係止状態と前記係止解除状態との間の境界位置あるいは前記係止解除状態に対応する位置にあり、
前記特定の係止部が前記境界位置よりも前記係止状態側に位置している状態で前記側板を前記開状態から前記閉状態側に移動させると、前記他の係止部とそれに対応する前記被係止部とが接当する前に、前記特定の係止部がそれに対応する前記被係止部に接当するように構成されているコンバイン。
【請求項２】
前記特定の係止部は、前記側板の中央側箇所に設けられ、
前記他の係止部は、前記側板の外周側箇所に設けられている請求項１に記載のコンバイン。
【請求項３】
前記操作具が一体的に回動自在に連結された回動軸が備えられ、
前記特定の係止部は、前記回動軸に一体的に回動自在に連結され、且つ、略Ｕ字状の係止溝を有するフック状部材にて構成されるとともに、前記操作具の回動操作により、対応する前記被係止部に引っ掛かり係止する係止状態と係止を解除する係止解除状態とに切り換え可能に構成されている請求項１又は２に記載のコンバイン。
【請求項４】
前記他の係止部は、前記側板の板面に沿う方向に沿って移動可能に支持されたロッドにより構成され、
前記他の係止部は、前記回動軸の回動に伴って、前記側板の外周側に向けて移動することにより前記被係止部と係止する係止状態になり、前記側板の中央側に向けて移動することにより前記被係止部との係止を解除する係止解除状態となる請求項３に記載のコンバイン。
【請求項５】
前記回動軸が前記側板の上下中間位置に備えられ、
前記他の係止部に、前記回動軸の上側に位置する上ロッドと、前記回動軸の下側に位置する下ロッドと、前記回動軸の回動に伴って、前記上ロッドと前記下ロッドとを上下方向に沿って互いに反対方向に移動させる天秤アームとが備えられている請求項４に記載のコンバイン。
【発明の詳細な説明】
【技術分野】
【０００１】
本発明は、収穫した穀粒を貯留する穀粒タンクが備えられているコンバインに関する。
【背景技術】
【０００２】
従来では、穀粒タンクは、箱状に形成された壁体によって閉じられた貯留空間に穀粒を貯留する構成となっていた（例えば、特許文献１参照。）。
【先行技術文献】
【特許文献】
【０００３】
【特許文献１】特開２０１７−１８４７６８号公報
【発明の概要】
【発明が解決しようとする課題】
【０００４】
上記従来構成では、穀粒タンクは、箱状に閉じられた状態で空間が形成されているから、例えば、収穫作業が終了した後に、貯留空間の内部壁面に付着堆積している塵埃や残留穀粒を除去する清掃作業等のタンク内部のメンテナンス作業が行い難い不利があった。メンテナンス作業を行えるようにするために、例えば、穀粒タンクの上面の一部に開閉可能な蓋体によって閉塞された開口が形成され、この開口を通して穀粒タンクの上方側から作業を行えるようにしたものもあるが、大型の穀粒タンクに対して上方側からの作業は行い難いものであった。
【０００５】
そこで、このような不利を解消するために、穀粒タンクの側部を大きく開放させることが可能に構成されることが考えられる。このように側部を大きく開放させる構成とした場合、その開閉部分から穀粒が漏れ出ること等が懸念される。
【０００６】
そこで、穀粒タンクの内部のメンテナンス作業を容易に行えるようにしながら、穀粒タンクが貯留可能な状態のときに穀粒が漏れ出る等のおそれを少なくすることが望まれていた。
【課題を解決するための手段】
【０００７】
本発明に係るコンバインの特徴構成は、内部の貯留空間に穀粒を貯留する穀粒タンクが備えられ、前記穀粒タンクにおける側板が、タンク本体部に対して縦軸芯周りで回動可能に支持され、前記側板は、前記縦軸芯周りで回動することにより、前記タンク本体部の側部に形成された開口を閉塞して穀粒の貯留を可能にする閉状態と、前記開口を通して前記貯留空間を外部に開放する開状態とに切り換え可能に設けられ、前記側板を前記閉状態に位置保持する位置保持機構が備えられ、前記位置保持機構に、前記タンク本体部及び前記側板のうちの一方に設けられた複数の係止部と、複数の前記係止部に対応する状態で前記タンク本体部及び前記側板のうちの他方に設けられた複数の被係止部とが備えられ、複数の前記係止部を一括して前記被係止部に対する係止状態と係止解除状態とに切り換え操作する操作具が備えられ、前記複数の係止部のうちの特定の係止部が、前記係止状態と前記係止解除状態との間の境界位置にあるとき、前記特定の係止部以外の他の係止部は、前記係止状態と前記係止解除状態との間の境界位置あるいは前記係止解除状態に対応する位置にあり、前記特定の係止部が前記境界位置よりも前記係止状態側に位置している状態で前記側板を前記開状態から前記閉状態側に移動させると、前記他の係止部とそれに対応する前記被係止部とが接当する前に、前記特定の係止部がそれに対応する前記被係止部に接当するように構成されている点にある。
【０００８】
本発明によれば、収穫作業を行うときは、穀粒タンクの側板を閉状態に切り換えることにより、収穫された作物を穀粒タンク内部の貯留空間に貯留することができる。収穫作業が終了すると、穀粒タンクの側板を開状態に切り換えることにより、側部に形成された開口を通して貯留空間が外部に開放されるので、清掃等のメンテナンス作業を容易に行うことが可能となる。
【０００９】
側板を閉状態に位置保持する位置保持機構は、タンク本体部及び側板のうちの一方に備えられた複数の係止部と、タンク本体部及び側板のうちの他方に備えられた複数の被係止部とが夫々係止するものであり、複数箇所にて係止保持する構成であるから、側板を閉状態で確実に位置保持させることが可能である。そして、操作具を操作することによって複数の係止部を一括して係止状態や係止解除状態に切り換えることができ、側板の開閉に伴う位置保持用の操作が能率よく行える。
【００１０】
側板の閉操作に伴って、側板に備えられた係止部あるいは被係止部が開口を通してタンク本体部の内部に入り込み、相手側の被係止部あるいは係止部と係合させると、開口に対して側板を隙間が生じないように位置保持させることが可能となる。
【００１１】
しかし、係止部が確実に係止状態に切り換わっていなければ、係止部が開口の縁部に接当して縁部が変形したり、係止部が損傷したりして、位置保持が不十分になり、閉状態のときに密閉状態が保てないものとなるおそれがある。
【００１２】
そこで、本発明では、複数の係止部のうちの特定の係止部が係止状態と係止解除状態との間の境界位置にあるときには、特定の係止部以外の他の係止部は、係止状態と係止解除状態との間の境界位置あるいは係止解除状態に対応する位置にある。つまり、特定の係止部が境界位置あるいは係止解除状態にあれば、他の係止部は、常に係止解除状態になっている。特定の係止部が係止状態側に位置している状態で側板が開状態から閉状態側に移動すると、特定の係止部がそれに対応する被係止部に接当するので、側板はそれ以上移動することができず、側板に備えられた他の係止部が開口を通してタンク本体部の内部に入り込むことを牽制することができる。
【００１３】
その結果、複数の係止部の全てのものが係止解除状態になっている状態でなければ、側板を開状態から閉状態に切り換えることができないので、側板に備えられた係止部あるいは被係止部が開口の周縁部に干渉して損傷する等のおそれがなく、側板の開状態と閉状態との切り換え操作と、閉状態での位置保持を良好に行うことができ、収穫した穀粒を良好に貯留することができる。
【００１４】
従って、穀粒タンクの内部のメンテナンス作業を容易に行えるようにしながら、穀粒タンクが貯留可能な状態のときに穀粒が漏れ出る等のおそれを少なくすることが可能となった。
【００１５】
本発明においては、前記特定の係止部は、前記側板の中央側箇所に設けられ、前記他の係止部は、前記側板の外周側箇所に設けられていると好適である。
【００１６】
本構成によれば、特定の係止部は、側板の中央側箇所すなわち開口の中央側において被係止部に係止する構成であるから、側板を開状態から閉状態に切り換えるときに、側板側の特定の係止部あるいは被係止部が開口の周縁部に接当して損傷したりすることがない。他の係止部は、側板の外周側箇所に設けられているので、他の係止部とそれに対応する被係止部との係止により、開口に対して側板を隙間が生じないように位置保持させることができる。
【００１７】
側板が開状態から閉状態側に移動するときに、開口の中央側に位置する特定の係止部が他の係止部よりも先に接当することで、開口の周縁部に近い位置にある他の係止部が周縁部に干渉することを回避させることができる。
【００１８】
本発明においては、前記操作具が一体的に回動自在に連結された回動軸が備えられ、前記特定の係止部は、前記回動軸に一体的に回動自在に連結され、且つ、略Ｕ字状の係止溝を有するフック状部材にて構成されるとともに、前記操作具の回動操作により、対応する前記被係止部に引っ掛かり係止する係止状態と係止を解除する係止解除状態とに切り換え可能に構成されていると好適である。
【００１９】
本構成によれば、側板は閉状態に位置していると、操作具を回動操作することによりフック状部材からなる特定の係止部が被係止部に引っ掛かり、係止状態に切り換えることができる。特定の係止部が係止状態側に位置している状態で側板が開状態から閉状態側に移動すると、他の係止部よりも先に、特定の係止部が被係止部に接当する。特定の係止部がフック状部材であるから、特定の係止部が被係止部に接当するとき、係止状態に対して大きく後退した位置で被係止部に接当する。その結果、他の係止部と被係止部とが接当するまでの間に大きく距離をあけた状態で、側板の移動を停止させることができ、他の係止部と開口の周縁部との干渉を確実に回避させることができる。しかも、特定の係止具の接当による振動は回動軸を介して操作具に伝わり、操作具を握り操作する作業者が、特定の係止部と被係止部との接当状態を感覚的に分かり易いという利点もある。
【００２０】
本発明においては、前記他の係止部は、前記側板の板面に沿う方向に沿って移動可能に支持されたロッドにより構成され、前記他の係止部は、前記回動軸の回動に伴って、前記側板の外周側に向けて移動することにより前記被係止部と係止する係止状態になり、前記側板の中央側に向けて移動することにより前記被係止部との係止を解除する係止解除状態となると好適である。
【００２１】
本構成によれば、側板が開状態から閉状態側に移動するとき、ロッドにより構成された他の係止部は、開口を通過したのちに、側板の外周側に向けて移動することで被係止部と係止する。又、中央側に向けて移動することで係止を解除することができる。このような構成では、他の係止部は、側板が開状態から閉状態側に移動するときに、タンク本体部の内部に大きく入り込む必要がなく、少ない入り込み量でも良好な係止状態にすることができる。
【００２２】
本発明においては、前記回動軸が前記側板の上下中間位置に備えられ、前記他の係止部に、前記回動軸の上側に位置する上ロッドと、前記回動軸の下側に位置する下ロッドと、前記回動軸の回動に伴って、前記上ロッドと前記下ロッドとを上下方向に沿って互いに反対方向に移動させる天秤アームとが備えられていると好適である。
【００２３】
本構成によれば、側板の上下中間位置に位置する回動軸が回動すると、天秤アームを介して、上ロッドが上方に移動し、下ロッドが下方に移動する。上ロッドは開口の上側の周縁部に備えられた被係止部に係止し、下ロッドは開口の下側の周縁部に備えられた被係止部に係止する。開口の上下両側で係止されることにより、タンク本体部に対して側板を確実に位置保持することができる。
【００２４】
上下中間位置に、回動軸とそれに連結された操作具とが設けられるので、作業者が機体外側から操作するときに、操作し易いものになる。
【図面の簡単な説明】
【００２５】
【図１】コンバインの全体側面図である。
【図２】コンバインの全体平面図である。
【図３】穀粒タンクの斜視図である。
【図４】メンテナンス状態における穀粒タンクの斜視図である。
【図５】穀粒タンクの縦断正面図である。
【図６】穀粒タンクの横断平面図である。
【図７】開状態から閉状態への切り換え時の開閉壁部の縦断正面図である。
【図８】閉状態における開閉壁部の縦断正面図である。
【図９】開閉壁部の前部上部の斜視図である。
【図１０】上側のロッドと案内保持部材との係止状態を示す縦断正面図である。
【図１１】第二補助フレーム体の取り付け状態を示す縦断正面図である。
【図１２】開閉壁部の開状態での保持用の部材の支持構造を示す横断平面図ある。
【図１３】操作具配設部の縦断側面図である。
【図１４】図１３のＸＩＶ−ＸＩＶ線断面図である。
【図１５】図１３のＸＶ−ＸＶ線断面図である。
【図１６】蓋体の支持構造を示す分解斜視図である。
【発明を実施するための形態】
【００２６】
以下、本発明の実施の形態を自脱型のコンバインに適用した場合について図面に基づいて説明する。
【００２７】
〔全体構成〕
図１及び図２に示すように、本発明に係るコンバインは、左右一対のクローラ走行装置１によって自走する走行機体２の前部に、植立穀稈を刈り取る刈取部３が備えられている。走行機体２の前部右側に、キャビン４にて周囲が覆われた運転部５が備えられている。運転部５の後方には、刈取部３にて刈り取られた穀稈を脱穀処理する脱穀装置６と、脱穀処理にて得られた穀粒を貯留する穀粒タンク７とが、横方向に並ぶ状態で配備されている。穀粒タンク７は機体右側に位置し、脱穀装置６は機体左側に位置している。つまり、運転部５は穀粒タンク７の前方に位置している。運転部５における運転座席８の下方にエンジンＥが備えられている。走行機体２の後部であって穀粒タンク７の後方に、穀粒タンク７に貯留された穀粒を機外に排出する穀粒排出装置９が備えられている。脱穀装置６の後部には、排藁を細断処理するための排ワラ処理装置２０が備えられている。
【００２８】
この実施形態では、機体の前後方向を定義するときは、作業状態における機体進行方向に沿って定義し、機体の左右方向を定義するときは、機体進行方向視で見た状態で左右を定義する。すなわち、図１及び図２に符号（Ｆ）で示す方向が機体前側、図１及び図２に符号（Ｂ）で示す方向が機体後側である。図２に符号（Ｌ）で示す方向が機体左側、図２に符号（Ｒ）で示す方向が機体右側である。
【００２９】
刈取部３は、刈取対象となる植立穀稈の株元を分草案内する分草具１０と、分草された植立穀稈を縦姿勢に引き起こす複数の引き起こし装置１１、引き起された植立穀稈の株元を切断するバリカン型の刈取装置１２、刈取穀稈を縦姿勢から徐々に横倒れ姿勢になるように姿勢変更しながら後方に搬送して脱穀装置６に供給する縦搬送装置１３等が備えられている。縦搬送装置１３の上方側は防塵カバー１４によって覆われている。
【００３０】
図示はしていないが、脱穀装置６は、供給された刈取穀稈の株元側を脱穀フィードチェーンによって挟持搬送しながら、穂先側を扱室にて扱き処理して脱穀処理を行う。脱穀処理された後の処理物が下方の選別部にて穀粒とワラ屑等に選別される。穀粒は、図示しない一番物搬送スクリューにより脱穀装置６の右横側外方に搬出されたのち、揚穀コンベア１５により揚送されて穀粒タンク７の内部に搬送される。穀粒タンク７は、脱穀装置６から送り込まれる穀粒を貯留する。その後、穀粒タンク７に貯留された穀粒は、穀粒排出装置９により外部に搬出される。
【００３１】
穀粒タンク７の底部には、前後向き軸芯周りで回転して貯留される穀粒を機体後部側に向けて搬送する底部スクリュー１６が備えられている。穀粒排出装置９は、底部スクリュー１６から搬出される穀粒を受け入れて、その穀粒を上方に向けて搬送する縦向き搬送装置としての縦送りスクリューコンベア１７と、その縦送りスクリューコンベア１７の上端部に連なる基端部から先端部の排出口１８まで穀粒を横方向に向けて搬送する横送りスクリューコンベア１９とが備えられている。
【００３２】
支持構成については詳述しないが、穀粒タンク７は、タンク全体が縦送りスクリューコンベア１７の回転軸芯である縦向き軸芯Ｘ周りで揺動可能に支持されている。つまり、図１，２に示すように、機体内方側に収納された通常の貯留状態と、図１，２に示すように、機体横側外方に張り出し揺動するメンテナンス状態とに切り換え可能に、縦向き軸芯Ｘ周りで揺動可能に支持されている。穀粒タンク７は貯留状態において図示しない位置保持機構により姿勢が保持される。
【００３３】
揚穀コンベア１５は、スクリューコンベア２８により穀粒を上端部近くまで揚送させたのち、上端部に設けられた送り出し羽根２４によって、穀粒を穀粒タンク７に形成された開口部２５を通してタンク内方側に向けて放出する。
【００３４】
〔穀粒タンク〕
次に、穀粒タンク７について説明する。
図４，５，６に示すように、穀粒タンク７は、前後左右夫々の側面を有する状態で周囲が囲まれて穀粒の貯留空間Ｑが形成されている。穀粒タンク７の右側面を構成する右側壁部３０のうちの一部（後述する開閉壁部３１）は、貯留空間Ｑを閉塞して穀粒の貯留を可能にする閉状態と、貯留空間Ｑを外部に開放して貯留空間Ｑへの作業者のアクセスを可能にする開状態とに切り換え可能に設けられている。
【００３５】
穀粒タンク７における右側面を除く他の側面、すなわち、前側面、後側面、左側面、上側面の夫々は、全て一連に連なるように連結された状態の壁部材によって形成され、タンク本体部３２を構成している。図６に示すように、タンク本体部３２のうち左側壁部３３には、揚穀コンベア１５を入り込ませた状態で配備するための凹入部３４が形成されている。
【００３６】
穀粒タンク７の右側壁部３０は、走行機体２の右横側外方に臨む状態で位置している。右側壁部３０は、上部から下部に亘るとともに前部から後部に亘る範囲の領域を開放可能である。すなわち、図４に示すように、右側壁部３０には、上部から下部に亘るとともに前部から後部に亘る範囲の領域を開放するように大きく開放される状態で開口３５が形成されている。このように大きく開放されている開口３５を開閉自在な開閉壁部３１（側板の一例）によって閉塞して、内部に貯留空間Ｑを形成するように構成されている。
【００３７】
図４に示すように、右側壁部３０は、開閉壁部３１と開口３５の周囲を囲う枠状部分３６とを備えており、枠状部分３６は、他の側面に連結されており、タンク本体部３２の一部を構成している。図８に示すように、開閉壁部３１が貯留状態に切り換えられて、後述するように開閉壁部３１と枠状部分３６とが一体的に連結されることで、右側壁部３０を構成する。
【００３８】
開閉壁部３１は、穀粒タンク７の後方に位置する縦軸芯Ｙ１周りで揺動開閉可能にタンク本体部３２に支持されている。タンク本体部３２の後側壁部３８の右側端部において、上下方向に間隔をあけて２つの回動支持部３９が備えられ、この回動支持部３９により、開閉壁部３１が縦軸芯Ｙ１周りで揺動自在に支持する構成となっている。
【００３９】
次に、タンク本体部３２における強度補強のための構成について説明する。
【００４０】
図４，６に示すように、タンク本体部３２の前部と後部とに亘って機体前後方向に延びる前後向きフレーム４０が備えられている。前後向きフレーム４０は、円筒状に形成され、タンク本体部３２における前側壁部４１と後側壁部３８とに亘って延びる状態で設けられている。前後向きフレーム４０は、穀粒タンク７内部の機体右側端部の上下中間部に位置する状態で設けられている。
【００４１】
前後向きフレーム４０の前後中央部よりも前側に寄った位置、及び、前後中央部よりも後側に寄った位置の夫々において、前後向きフレーム４０と左側壁部３３に取り付けられたブラケット４４とを連結する丸棒材からなる第一補助フレーム４５が備えられている。
【００４２】
図４に示すように、開閉壁部３１が開状態にあるときに、開いた状態に保持するための開度保持具４６が備えられている。開度保持具４６は両端が曲げられた棒状の部材であって、一方の端部（支持端）が支持板４７に保持され、他方の端部（自由端）が、タンク本体部３２の枠状部分３６に取り付けられた連結具４８の穴に差し込まれる（図４の仮想線参照）。これにより開度保持具４６が、開閉壁部３１を開いた状態に保持する。開度保持具４６は使用しないときは、図４に実線で示すように、垂れさがって姿勢で図示しないクリップ部材により保持される。
【００４３】
又、開閉壁部３１が所定の角度（例えば、９０度）以上に開くことを防止するための開放防止ワイヤ５０が備えられている。開放防止ワイヤ５０は金属製の柔軟なワイヤであって、一方の端部がタンク本体部３２の連結具４８に設けられたピン５１に接続され、他方の端部が開閉壁部３１に設けられたピン５３に接続されている。尚、開度保持具４６にて保持されている状態や、開閉壁部３１が閉じられた状態においては、弛んだ状態となる。
【００４４】
開度保持具４６や開放防止ワイヤ５０によって、開閉壁部３１が開状態で保持されているときに、例えば、風等によって、開閉壁部３１に対してさらに開放する方向にむけて無理な力がかかると、開度保持具４６や開放防止ワイヤ５０が連結されるタンク本体部３２の枠状部分３６が変形するおそれがある。そこで、次のような第二補助フレーム体５４が設けられている。
【００４５】
図５，１１，１２に示すように、第二補助フレーム体５４は、帯板にて構成され、後部側の第一補助フレーム体４５が連結される左側壁部３３側のブラケット４４と、枠状部分３６側の連結具４８とに亘って架設連結されている。この第二補助フレーム体５４により、開閉壁部３１に対してさらに開放する方向にむけて無理な力がかかる場合に、無理な力によるタンク本体３２側の変形を阻止している。
【００４６】
次に、開閉壁部３１における強度補強のための構成について説明する。
【００４７】
図５に示すように、開閉壁部３１は前後方向視で緩やかな円弧状に形成されている。図４，５に示すように、開閉壁部３１のタンク内方側の上部側箇所に上部側補強部５６が備えられている。上部側補強部５６は、板材を断面略Ｕ字形に折り曲げて形成され且つ前後方向に延びる上部支持体５７が、前後方向全域にわたり開閉壁部３１の壁面に一体的に連結されて角筒状の補強部を構成している。
【００４８】
開閉壁部３１のタンク内方側の下部側箇所には、下部側補強部５９が備えられている。下部側補強部５９は、板材を略Ｕ字形に折り曲げて形成された第一補強体５９ａと、平板状の第二補強体５９ｂとを略筒状に連結して構成されている（図７，８参照）。下部側補強部５９は、前後方向全域にわたり開閉壁部３１の壁面に一体的に連結されている。図６に示すように、開閉壁部３１の後部側端部には、上下両側の回動支持部３９を介して開閉壁部３１全体を支持するための角筒状の縦向き補強部５８が備えられている。
【００４９】
開閉壁部３１のタンク内方側には、上部側補強部５６と下部側補強部５９とにわたって、上下方向に延びる複数の縦向き支持板が、前後方向に間隔をあけて複数備えられている。具体的には、図４，６に示すように、縦向き支持板として、開閉壁部３１の前部側端部に位置する第一の縦向き支持板６０、前部側端部よりも設定幅だけ後部側に寄った箇所に位置する第二の縦向き支持板６１、前後中間部に位置する第三の縦向き支持板６２の夫々が備えられている。複数の縦向き支持板６０，６１，６２は夫々、断面Ｌ字形の板体からなり、開閉壁部３１のタンク内方側の側面に一体的に連結されている。上部側補強部５６は、開閉壁部３１の前後方向の全幅にわたって設けられている。下部側補強部５９は、第二の縦向き支持板６１から後側端部にわたって設けられている。
【００５０】
次に、開閉壁部３１をタンク本体部３２に連結するための連結構造について説明する。
開閉壁部３１における中央側箇所には、前後向きフレーム４０に係止する係止部材６３（特定の係止部の一例）が備えられている。操作具としての操作レバー６４の揺動操作により、係止部材６３が前後向きフレーム４０に引っ掛かり係止する係止状態と、係止を解除する解除状態とに切り換え操作可能に構成されている。係止部材６３は、略Ｕ字状の係止溝６５を有するフック状部材にて構成されている。従って、前後向きフレーム４０が係止部材６３に対応する被係止部として機能する。
【００５１】
図４，６に示すように、操作レバー６４の揺動操作により一体回動する回動軸６６が備えられ、係止部材６３が回動軸６６に一体的に回動自在に連結されている。操作レバー６４の揺動操作に伴う回動軸６６の回動により、係止部材６３が係止状態と解除状態とに切り換わる。
【００５２】
回動軸６６は、開閉壁部３１のタンク内方側の近い位置において、開閉壁部３１の前後中間部と前部とにわたって前後方向に延びる状態で備えられている。回動軸６６は、第二の縦向き支持板６１と第三の縦向き支持板６２に形成された挿通孔（図示せず）を夫々挿通して、第二の縦向き支持板６１と第三の縦向き支持板６２とにより回動自在に支持されている。
【００５３】
回動軸６６の前側端部であって、第一の縦向き支持板６０と第二の縦向き支持板６１との間に位置する状態で操作レバー６４が備えられている。開閉壁部３１のうち、第一の縦向き支持板６０と第二の縦向き支持板６１との間における操作レバー６４が対応する位置に開口６７が形成されている（図１参照）。図６，１３，１４，１５に示すように、開口６７は、上下方向のスライド可能な蓋体６８によって覆われる状態と、開放される状態とに切り換え可能である。蓋体６８を上方にスライドすると、開口６７を通して操作レバー６４が外方に臨む状態となり、機体外部から作業者が手動操作可能な状態となる。
【００５４】
図５，８に示すように、操作レバー６４が開閉壁部３１の内部に位置する縦向き姿勢に切り換えられると、係止部材６３が前後向きフレーム４０に係止して、貯留状態の開閉壁部３１の揺動側端部とタンク本体部３２とが連結される。図７に示すように、開口６７を通して手動で操作レバー６４を外方側に引き操作して、操作レバー６４が外方に傾倒する傾斜姿勢に切り換えられると、係止部材６３が前後向きフレーム４０に対する係止が解除され、開閉壁部３１の揺動側端部とタンク本体部３２との連結が解除される。
【００５５】
〔位置保持機構〕
この穀粒タンク７には、開閉壁部３１を貯留状態で位置保持するとともに、開閉壁部３１をタンク本体部３２側に引き寄せて隙間を無くして貯留空間の閉塞性を高めるための位置保持機構ＩＨが備えられている。以下、その構成について説明する。
【００５６】
図４，５に示すように、開閉壁部３１における外周側箇所に、上下方向にのみ移動可能に支持されるとともに、回動軸６６の回動に伴って上下方向に移動可能に回動軸６６に連動連結された複数のロッド６９（他の係止部の一例）が備えられている。タンク本体部３２には、ロッド６９に対応する被係止部としての複数の案内保持部材７０が備えられている。
【００５７】
案内保持部材７０におけるタンク本体部３２の開口３５の内周側に対応する箇所には、内周側に向かうほど外方側に向けて傾斜する傾斜部７１が形成されている。案内保持部材７０における開口３５の外周側に対応する箇所には、傾斜部７１から一連に連なる状態で上下方向に延びる受止め保持部７２が形成されている。
【００５８】
係止部材６３が係止状態となるように、操作レバー６４が傾斜姿勢から縦向き姿勢に切り換え操作されると、ロッド６９が、案内保持部材７０の傾斜部７１にて摺動案内されて、開閉壁部３１をタンク本体部３２側に引き寄せるように構成されている。操作レバー６４が縦向き姿勢に切り換わると、ロッド６９は受止め保持部７２にて受止められ、開閉壁部３１をタンク本体部３２側に引き寄せている状態を維持する。
【００５９】
説明を加えると、側面視で、回動軸６６の前後両端部に対応する箇所であって、且つ、開閉壁部３１の上部側箇所及び下部側箇所の夫々に、合計４本のロッド６９が上下方向にのみ移動可能に備えられている。図４，５に示すように、上側に位置する２本の上側のロッド（上ロッド）６９は、上部側支持部材７３及び上部側補強部５６の夫々に形成された挿通孔を挿通する状態で設けられ、上下方向にのみ移動可能に支持されている。下側に位置する２本のロッド（下ロッド）６９は、前後方向視で略Ｕ字形に形成され且つロッド６９が挿通する挿通孔が形成された下部側支持部材７４によって、上下方向にのみ移動可能に支持されている。
【００６０】
図１０に示すように、上部側補強部５６における上部支持体５７には、ロッド６９が上下方向に挿通する挿通孔７５が形成されているが、この挿通孔７５は、案内保持部材７０に対する係合が良好に行われるように、できるだけタンク本体部３２側に寄った状態で形成する方が好ましい。ところで、上部支持体５７を作成するにあたり、板材を予めＵ字状に屈曲形成したのちに挿通孔７５を形成すると、曲げ加工に伴う引っ張り力により折り曲げ箇所において挿通孔７５が大きくなりすぎるおそれがある。そこで、上部支持体５７を作成するときは、平板状の材料の段階で先に挿通孔７５を形成したのちに、折り曲げ加工を行うようにしている。さらに、上部側補強部５６の強度補強を図るために、図９，１０に示すように、Ｕ字状の凹入部の内奥部に補強板７６が設けられている。
【００６１】
図４，５に示すように、回動軸６６の前後両側端部に一体回動する天秤アームとしての操作体７７が連結されている。操作体７７は、長手方向の一方側端部に、リンク部材７８を介して上側のロッド６９が枢支連結されている。操作体７７は、長手方向の他方側端部には、リンク部材７８を介して下側の下側のロッド６９が枢支連結されている。操作レバー６４の操作に伴って回動軸６６が回動して、操作体７７とリンク部材７８を介してロッド６９が上下方向にスライド移動する。
【００６２】
図４，５に示すように、タンク本体部３２の枠状部分３６におけるロッド６９がスライド移動する箇所に、複数の案内保持部材７０が備えられている。上側に位置する２つの案内保持部材７０は、枠状部分３６におけるタンク外側の箇所に設けられている。下側に位置する２つの案内保持部材７０は、枠状部分３６におけるタンク内側の箇所に設けられている。上側に位置する２つの案内保持部材７０は、下端部が枠状部分３６から離間する側に位置し、上方に向かうほど枠状部分３６に近づくような傾斜面を備えている。下側に位置する２つの案内保持部材７０は、上端部が枠状部分３６から離間する側に位置し、下方に向かうほど枠状部分３６に近づくような傾斜面を備えている。
【００６３】
図４，５，７，８，１０に示すように、複数の案内保持部材７０は夫々、枠状部分３６を挿通する締結具としての２本のネジ軸７９が備えられ、ネジ軸７９に螺合するナット８０で締め付けて枠状部分３６に固定されている。複数の案内保持部材７０は、枠状部分３６に対するネジ軸７９のナット８０による締め付け位置を変更することにより、タンク本体部３２と開閉壁部３１との接近離間方向での位置を変更調節可能に設けられている。
【００６４】
操作レバー６４が縦向き姿勢に切り換えられると、操作体７７とリンク部材７８を介して、上側のロッド６９は上方に移動し、下側のロッド６９は下方に移動する。上側のロッド６９は、タンク本体部３２に備えられた上側の案内保持部材７０に摺動案内され、下側のロッド６９は、タンク本体部３２に備えられた下側の案内保持部材７０に摺動案内される。ロッド６９と案内保持部材７０との摺動案内によって、開閉壁部３１とタンク本体部３２とが相対変位して、開閉壁部３１がタンク本体部３２に近づく方向に引き寄せられる。その結果、開閉壁部３１とタンク本体部３２の開口３５の周囲の枠状部分３６とが密に接触して穀粒を貯留可能な状態となる。
【００６５】
開閉壁部３１と枠状部分３６における開口３５の周縁部との接触箇所には、シール部材８１が備えられている。特に、図４に示すように、開口３５の周縁部のうちの下側縁部と揺動外周側の縁部には、弾性変形量が大きく密閉性を高めることが可能なゴム製のウェザーストリップにて構成されるシール部材８１が備えられている。
【００６６】
上記したようなウェザーストリップ型のシール部材８１は、図７に示すように、タンク本体部３２における開口３５の周縁に内周側に向けて突出する状態で備えられている。そして、開閉壁部３１がメンテナンス状態（開状態）から貯留状態（閉状態）に切り換わるときに、下側のロッド６９がシール部材８１に接触して破損させることを回避することができるようになっている。
【００６７】
すなわち、下側のロッド６９は、開閉壁部３１がメンテナンス状態（開状態）から貯留状態（閉状態）に切り換わるに伴って、開口３５を通して案内保持部材７０に対応する位置まで貯留空間内に入り込み可能に設けられている。そして、係止部材６３が、係止状態と係止解除状態との間の境界位置にあるとき、ロッド６９は、係止状態と係止解除状態との間の境界位置あるいは係止解除状態に対応する位置にあり、係止部材６３が境界位置よりも係止状態側に位置している状態で開閉壁部３１を開状態から閉状態側に移動させると、ロッドとそれに対応する案内保持部材７０とが接当する前に、係止部材６３がそれに対応する被係止部としての前後向きフレーム４０に接当するように構成されている。
【００６８】
説明を加えると、図４，７，８に示すように、係止部材６３は係止溝６５が深くなるように形成されている。そして、図８に示す係止状態にあるときは、深い係止溝６５の内奥まで前後向きフレーム４０が入り込む状態で係止する。図７に示すように、係止部材６３が前後向きフレーム４０に引っ掛からない位置にあれば、開閉壁部３１を開状態から閉状態に移動させることができる。このように係止部材６３が前後向きフレーム４０に引っ掛からない程度の位置が境界位置であり、これよりも更に係止部材６３を上昇させると係止解除状態になる。
【００６９】
図７に示すように、係止部材６３が境界位置にあるときは、下側のロッド６９は、下端部がシール部材８１の上端と略同じかそれよりも上側に位置するように構成されている。すなわち、係止部材６３が、境界位置あるいは係止解除状態にあるときは、下側のロッド６９はシール部材８１に接当しない位置となり、開閉壁部３１の開閉操作に伴って、ロッド６９がシール部材８１に干渉することなく、損傷を与えるおそれが少なくなるようにしている。
【００７０】
図６に示すように、開閉壁部３１の第一の縦向き支持板６０と第二の縦向き支持板６１とで挟まれるレバー収納領域と貯留空間Ｑとは仕切られる構成となっている。貯留空間Ｑに穀粒が貯留されていても、操作レバー６４が備えられるレバー収納領域には穀粒がなく、操作を容易に行える。
【００７１】
タンク本体部３２の枠状部分３６における機体前部側の上部箇所に、開閉壁部３１が閉状態に切り換えられているか否かを検出する検出センサＳが備えられている。検出センサＳは、開閉壁部３１に備えられた被検知体８７が接触作用することで閉状態を検知する構成となっている。図示はしていないが、検出センサＳが閉状態を検知していなければ、エンジンＥの始動が牽制され、収穫作業中に閉状態が検知されなくなると、エンジンＥを停止させるように構成されている。
【００７２】
〔蓋体の支持構造〕
上記したようにレバー収納領域の開閉壁部３１に形成された開口６７を開閉可能な蓋体６８の支持構造について説明する。
図１５に示すように、第一の縦向き支持板６０と第二の縦向き支持板６１の夫々における開閉壁部３１に近接した箇所に、上下方向に沿って延びる帯板状の摺動部材８９が設けられている。蓋体６８は、前後両側の摺動部材８９と開閉壁部３１側の摺動面との間で挟まれた状態で上下方向にスライド可能に支持されている。
【００７３】
摺動部材８９は、他物との干渉を防止するために薄い形状となっている。そのため、蓋体６８の寸法誤差等に起因して、蓋体６８だけをスライドさせる構成では脱落するおそれがある。そこで、図１３，１６に示すように、蓋体６８の裏面側にスライド調節板９０が備えられている。スライド調節板９０は、機体側面視で略Ｌ字形に成形された板体であり、２個の締結具９１（ボルト・ナット）によって蓋体６８に固定されている。２個の締結具９１は、蓋体６８をスライド操作するための握り操作具９２を固定する締結具と兼用する構成となっている。この実施形態では、図１６に示すように、蓋体６８が直線状に延びる平板状に構成され、円弧状の開閉壁部３１に沿わせることで摩擦により位置保持する機能を持たせている。
【００７４】
スライド調節板９０に形成されたボルト挿通孔９０ａが幅方向（左右方向）に沿って長い長孔に形成されている。スライド調節板９０はボルト挿通孔９０ａの長孔の範囲内で蓋体６８との相対位置を幅方向（左右方向）に沿って変更調節可能である。蓋体６８の左右方向一端側を一方の端部に当て付け、スライド調節板９０を反対方向にスライドさせて他方の端部に当て付けた状態で締結固定することで、隙間がなく脱落のおそれを回避することができる。蓋体６８におけるスライド調節板９０が位置していない領域に対して押圧作用する板バネ９３が設けられ、板バネ９３の弾性付勢力によりスライド移動に抵抗を付与して開状態で位置保持できるようになっている。
【００７５】
この板バネ９３の弾性付勢力を利用して、蓋体６８を閉じる際に、握り操作具９２と開口６７の下側縁部との間で操作者が手を挟むことがないように位置決めする構成としている。すなわち、図１３に示すように、蓋体６８における前部上部側箇所に、板バネ９３が入り込み係合可能な係合孔６８Ａが形成されている。そして、図１４に示すように、蓋体６８を閉じ操作して、握り操作具９２と開口６７の下側縁部とが接当する手前で板バネ９３が係合孔６８Ａに入り込み係合してその位置で停止させる構成となっている。
【００７６】
握り操作具９２と開口６７の下側縁部との間で操作者が手を挟むことを回避する構成としては、板バネ９３を用いる構成に代えて、例えば、開閉壁部３１における開口６７の下側に、蓋体６８の下端が接当して位置規制する接当部を設ける構成、あるいは、スライド調節板９０に接当作用部を設け、開閉壁部３１に設けた接当部に接当して位置規制する構成等の種々の構成を採用することができる。
【００７７】
図１に示すように、開閉壁部３１の下方側には、穀粒タンク７の下部側の右側外方を覆う下部カバー９４が備えられている。下部カバー９４は、前端部の上下幅が後端部の上下幅よりも少し幅狭であって、下端縁は略水平姿勢であり、上端縁が後上がり傾斜姿勢になるように形成されている。この下部カバー９４は、取り外し可能に支持されている。図３に示すように、下部カバー９４は、前後両側部に備えられたフック状の係止部材９５が、開閉壁部３１の前後両側部に備えられた係止ピン９６に係止して位置保持することができるとともに、下部側の前後両側に設けられた周知構成の弾性係合式のロック具９７により、タンク本体部３２に設けられた係止部９８に係止してロック可能に構成されている。
【００７８】
図４，９に示すように、開閉壁部３１の前端部の横向き縁部における上部側箇所に、円形の挿通孔８８が形成されている。この挿通孔８８を通して、作業者が上側のロッド６９が確実に案内保持部材７０に係止している状態（ロック状態）であるか否かを目視で検査することができる。尚、この挿通孔８８は、製造工程において、塗装作業を行う際に、吊り上げ装置によって引っかけて吊り下げる際に利用することができる。
【００７９】
〔別実施形態〕
（１）上記実施形態では、他の係止部が、回動軸の回動に伴って上下方向にスライド自在なロッドにより構成されるものを示したが、この構成に代えて、回動軸の回動に伴って左右方向にスライド自在なロッドで構成してもよく、ロッドに限らず、例えば、短い帯板状の部材にて構成され、開閉壁部３１の板面と直交する方向の軸芯周りで回動可能な係止部が回動に伴って係止する構成としてもよい。
【００８０】
（２）上記実施形態では、複数の係止部材６３（特定の係止部）がフック状の部材で構成されるものを示したが、この構成に代えて、上下方向あるいは左右方向にスライドして係止する構成や、開閉壁部３１の板面と直交する方向の軸芯周りで回動して係止する構成等、種々の構成を採用することができる。
【００８１】
（３）上記実施形態では、特定の係止部（係止部材６３）が開閉壁部３１の中央側箇所に設けられ、他の係止部（ロッド６９）が開閉壁部３１の外周側箇所に設けられる構成としたが、この構成に代えて、特定の係止部が開閉壁部３１の外周側箇所に設けられ、他の係止部が開閉壁部３１の中央側箇所に設けられる構成としてもよい。
【産業上の利用可能性】
【００８２】
本発明は、自脱型コンバインに限らず、刈取穀稈の全稈を脱穀装置に投入する普通型コンバインにも適用できる。
【符号の説明】
【００８３】
７              穀粒タンク
３１            側板
３２            タンク本体部
３５            開口
４０            被係止部
６３            特定の係止部
６４            操作具
６６            回動軸
６９            他の係止部（ロッド）
７０            被係止部
７７            天秤アーム
【図１】
2020000077.tif 000003
【図２】
2020000077.tif 000004
【図３】
2020000077.tif 000005
【図４】
2020000077.tif 000006
【図５】
2020000077.tif 000007
【図６】
2020000077.tif 000008
【図７】
2020000077.tif 000009
【図８】
2020000077.tif 000010
【図９】
2020000077.tif 000011
【図１０】
2020000077.tif 000012
【図１１】
2020000077.tif 000013
【図１２】
2020000077.tif 000014
【図１３】
2020000077.tif 000015
【図１４】
2020000077.tif 000016
【図１５】
2020000077.tif 000017
【図１６】
2020000077.tif 000018